(57)【特許請求の範囲】
【請求項１】
所定の開口面積を有した第１の開口部が設けられたケースと、
複数のキーブロックが形成されるように複数のキー釦が配列されているとともに、前記複数のキー釦が前記第１の開口部から露出するように前記ケースに取り付けられたキー入力釦部と、
前記キーブロック毎に当該キーブロックを露出させるための複数の第２の開口部が設けられ、互いに隣接する前記キーブロック間の隙間を仕切部によって覆う化粧板と、
を備え、
前記キー入力釦部は、
前記複数のキー釦のそれぞれをキー操作可能に保持する複数のキー保持筒部と、
前記複数のキー保持筒部を相互に連結する連結部と、
前記連結部のうちの前記キーブロック間の隙間に対応する領域に、当該連結部から立設され、前記仕切部を支持するための支持リブと、
を備えていることを特徴とする電子機器。
【請求項２】
請求項１に記載の電子機器において、
前記化粧板は、光透過性を有する硬質の合成樹脂で形成され、その表裏面の少なくとも一方に化粧膜が設けられている、
ことを特徴とする電子機器。
【請求項３】
請求項１または請求項２に記載の電子機器において、
前記複数のキー釦それぞれのキー操作に応じてスイッチ動作する複数の接点部を有するスイッチ基板を備えている、
ことを特徴とする電子機器。
【請求項４】
請求項１〜請求項３のいずれかに記載の電子機器において、
前記ケースは、前記第１の開口部の周辺に、所定方向にライン状に延伸する凹凸パターンが形成されている、
ことを特徴とする電子機器。
【請求項５】
所定の開口面積を有した第１の開口部が設けられたケースに、複数のキーブロックが形成されるように複数のキー釦が配列されたキー入力釦部を、前記複数のキー釦が前記第１の開口部から露出するように取り付ける第１工程と、
前記キーブロック毎に当該キーブロックを露出させるための複数の第２の開口部が設けられ、互いに隣接する前記キーブロック間の隙間を仕切部によって覆う化粧板を、前記ケースに取り付ける第２工程と、
を有し、
前記キー入力釦部は、
前記複数のキー釦のそれぞれをキー操作可能に保持する複数のキー保持筒部と、
前記複数のキー保持筒部を相互に連結する連結部と、
前記連結部のうちの前記キーブロック間の隙間に対応する領域に、当該連結部から立設され、前記仕切部を支持するための支持リブと、
を備えていることを特徴とする電子機器の製造方法。
【発明の詳細な説明】
【技術分野】
【０００１】
本発明は、電子機器、及び、電子機器の製造方法に関する。
【背景技術】
【０００２】
例えば、情報処理装置の入力装置においては、特許文献１に記載されているように、複数のキー釦が複数のキーブロックごとに配列されたキー入力釦部を備え、このキー入力釦部をケースに組み込む際に、ケースにキー入力釦部の複数のキーブロックそれぞれに対応する複数の開口部を設け、これら複数の開口部から複数のキー入力釦部の上部を複数のキーブロックごとに露出させた構成のものが知られている。
【先行技術文献】
【特許文献】
【０００３】
【特許文献１】特開２００５−３０２３８４号公報
【発明の概要】
【発明が解決しようとする課題】
【０００４】
しかしながら、このような入力装置では、複数のキーブロックの各境界部に位置するケースにそれぞれ仕切部を形成する必要があるため、ケースの構造が複雑になるばかりか、ケースの仕切部が細長いため、強度を確保するために、ケースの肉厚を厚く形成する必要があり、ケースの製作コストが高くなるという問題がある。
【０００５】
この発明が解決しようとする課題は、ケースの構造の簡素化により低コスト化を図ることができる電子機器、及び、電子機器の製造方法を提供することである。
【課題を解決するための手段】
【０００６】
この発明に係る電子機器は、所定の開口面積を有した第１の開口部が設けられたケースと、複数のキーブロックが形成されるように複数のキー釦が配列されているとともに、前記複数のキー釦が前記第１の開口部から露出するように前記ケースに取り付けられたキー入力釦部と、前記キーブロック毎に当該キーブロックを露出させるための複数の第２の開口部が設けられ、互いに隣接する前記キーブロック間の隙間を仕切部によって覆う化粧板と、を備え、前記キー入力釦部は、前記複数のキー釦のそれぞれをキー操作可能に保持する複数のキー保持筒部と、前記複数のキー保持筒部を相互に連結する連結部と、前記連結部のうちの前記キーブロック間の隙間に対応する領域に、当該連結部から立設され、前記仕切部を支持するための支持リブと、を備えていることを特徴とする。
また、この発明に係る電子機器の製造方法は、所定の開口面積を有した第１の開口部が設けられたケースに、複数のキーブロックが形成されるように複数のキー釦が配列されたキー入力釦部を、前記複数のキー釦が前記第１の開口部から露出するように取り付ける第１工程と、前記キーブロック毎に当該キーブロックを露出させるための複数の第２の開口部が設けられ、互いに隣接する前記キーブロック間の隙間を仕切部によって覆う化粧板を、前記ケースに取り付ける第２工程と、を有し、前記キー入力釦部は、前記複数のキー釦のそれぞれをキー操作可能に保持する複数のキー保持筒部と、前記複数のキー保持筒部を相互に連結する連結部と、前記連結部のうちの前記キーブロック間の隙間に対応する領域に、当該連結部から立設され、前記仕切部を支持するための支持リブと、を備えていることを特徴とする。
【発明の効果】
【０００７】
この発明によれば、ケースの構造の簡素化により低コスト化を図ることができる。
【図面の簡単な説明】
【０００８】
【図１】この発明を電子レジスタに適用した一実施形態を示した斜視図である。
【図２】図２に示された電子レジスタにおいて、化粧用補強板を取り外した状態の機器ケースを示した斜視図である。
【図３】図１に示された電子レジスタの内部を裏面側から見て示した斜視図である。
【図４】図３に示された電子レジスタの内部を示した裏面図である。
【図５】図４に示された電子レジスタのＡ−Ａ矢視における拡大断面図である。
【図６】図１に示された電子レジスタのＢ−Ｂ矢視における拡大断面図である。
【図７】図６に示された電子レジスタにおける入力装置の要部を更に拡大して示した断面図である。
【図８】図３に示された電子レジスタにおいて、モータ取付部にモータが取り付けられた箇所の要部を裏面側から見て示した拡大斜視図である。
【図９】図８に示されたモータ取付部およびモータを機器ケースの手前側から見て示した拡大側面図である。
【図１０】図８に示されたモータ取付部およびモータを分解して記録紙収納部側から見て示した拡大斜視図である。
【発明を実施するための形態】
【０００９】
以下、図１〜図１０を参照して、この発明を電子レジスタに適用した一実施形態について説明する。
この電子レジスタは、図１に示すように、機器ケース１を備えている。この機器ケース１は、前側（図１では手前側）が平坦状に形成され、後部側が前側から後部側に向けて次第に高くなる傾斜部２に形成された構成になっている。
【００１０】
この機器ケース１の前側部には、図１に示すように、受皿部３が窪んで形成されている。また、この機器ケース１の傾斜部２における右側には、入力装置４、入力表示部５、および施錠部６が設けられており、傾斜部２の左側には、プリンタ部７が設けられている。この機器ケース１は、図示しないが、その下面に底板が設けられ、この状態で紙幣や硬貨、金券などを収納するドロアの上に配置されるように構成されている。
【００１１】
入力装置４は、図１、図６および図７に示すように、複数のキー釦８が複数のキーブロック９ごとに配列されたキー入力釦部１０と、機器ケース１の上面に設けられた化粧用補強板１１と、機器ケース１内に設けられたキー保持部材１２と、このキー保持部材１２に取り付けられたスイッチ基板１３と、を備えている。
【００１２】
この機器ケース１は、ＰＳ樹脂(ポリスチレン)などの硬質の合成樹脂によって形成されている。なお、機器ケース１を形成するための合成樹脂としては、ＰＳ樹脂に限らず、ＰＰ樹脂(ポリプロピレン)、ＡＢＳ樹脂、アクリル樹脂などの硬質の合成樹脂であってもよい。また、この機器ケース１は、金型成形により形成されるものである。
【００１３】
複数のキー釦８は、図１に示すように、テンキーなどの電子レジスタに必要な各種のキーであり、図６および図７に示すように、それぞれキートップ８ａとキー軸部８ｂとを備えている。キー入力釦部１０は、図１に示すように、複数のキー釦８がキーの種類によって複数のキーブロック９ごとに配列され、これら複数のキーブロック９の全体がほぼ四角形状の領域内に配置されるように構成されている。
【００１４】
この場合、機器ケース１の傾斜部２には、図２に示すように、キー入力釦部１０の全域に対応する四角形状のケース開口部１４が設けられている。また、この機器ケース１の傾斜部２には、入力表示部５に対応する表示開口部１５および釦挿入部１６が設けられていると共に、施錠部６に対応する施錠孔１７が設けられている。
【００１５】
化粧用補強板１１は、図１、図６および図７に示すように、ポリカーボネート樹脂やアクリル樹脂などの光透過性を有する透明または半透明の硬質の合成樹脂によって肉厚の厚い平板状に形成されている。この化粧用補強板１１は、プリンタ部７を除いて、入力装置４、入力表示部５、および施錠部６に対応する機器ケース１の傾斜部２における上面のほぼ全域に配置されて、機器ケース１の傾斜部２を補強するように構成されている。
【００１６】
また、この化粧用補強板１１には、図１、図６および図７に示すように、キー入力釦部１０の複数のキーブロック９それぞれに対応する複数の化粧開口部１８、入力表示部５に対応して機器ケース１の傾斜部２に設けられた釦挿入部１６に対応する釦挿入孔１９、および施錠部６に対応する施錠孔２０がそれぞれ設けられている。この場合、化粧用補強板１１には、キー入力釦部１０の複数のキーブロック９の各境界部、つまり複数の化粧開口部１８の境界部にそれぞれ複数の仕切部１１ａが形成されている。
【００１７】
この化粧用補強板１１は、図１に示すように、機器ケース１の傾斜部２を補強するように構成されている。これにより、機器ケース１の傾斜部２は、化粧用補強板１１が配置される箇所の肉厚が薄く形成されている。このため、この肉厚の薄い機器ケース１の傾斜部２の上面には、図２に示すように、複数の補強リブ２ａが約４５度の斜め方向に沿って設けられている。
【００１８】
さらに、この化粧用補強板１１の下面には、図１、図６および図７に示すように、化粧膜２１が印刷などによって設けられている。この化粧膜２１は、装飾性を有するものであり、この化粧膜２１には、機器ケース１の表示開口部１５に対応する表示窓部２１ａが形成されている。この表示窓部２１ａは、これに対応する領域に化粧膜２１が設けられておらず、後述する入力表示部５の第１表示パネル３４に表示された情報が機器ケース１の外部から見えるように構成されている。
【００１９】
また、入力装置４のキー保持部材１２は、図６および図７に示すように、機器ケース１の傾斜部２に設けられたケース開口部１４に対応する枠状に形成され、この枠状内にキー入力釦部１０の複数のキー釦８それぞれをキー操作方向（図６では斜め上下方向）にスライド可能に保持する複数のキー保持筒部２２がそれぞれ連結リブ１２ａによって相互に連結された状態で、一体に形成された構成になっている。
【００２０】
このキー保持部材１２は、図３および図４に示すように、機器ケース１の傾斜部２における上部内面に設けられたボス部（図示せず）にビス止めされるように構成されている。これにより、キー保持部材１２は、キー釦８のキー軸部８ｂをキー操作方向にスライド可能に保持する複数のキー保持筒部２２がそれぞれ連結リブ１２ａによって相互に連結されていることにより、キー保持部材１２全体の剛性および強度が高められるように形成されている。
【００２１】
このため、このキー保持部材１２は、図６に示すように、機器ケース１の傾斜部２の上部内面に取り付けられることにより、機器ケース１の傾斜部２を補強するように構成されている。また、このキー保持部材１２には、図６および図７に示すように、化粧用補強板１１に設けられた複数の化粧開口部１８の各境界に設けられた複数の仕切部１１ａを支持する複数の支持リブ１２ｂが起立した状態で一体に形成されている。
【００２２】
さらに、入力装置４のスイッチ基板１３は、図７に示すように、ベース板２３上に配線シート２４が設けられ、この配線シート２４上にスペーサ２５を介して可動シート２６が設けられた構成になっている。配線シート２４の上面には、一対の固定接点２４ａがキー入力釦部１０の複数のキー釦８にそれぞれ対応して設けられていると共に、これら複数の固定接点２４ａにそれぞれ接続された配線パターン（図示せず）が設けられている。
【００２３】
スペーサ２５は、図７に示すように、配線シート２４に設けられた複数の固定接点２４ａそれぞれに対応する箇所に開口部２５ａが設けたシートである。可動シート２６は、その下面に可動接点２６ａが配線シート２４の複数の固定接点２４ａにそれぞれ接離可能に対応して設けられた構成になっている。
【００２４】
これにより、スイッチ基板１３は、図７に示すように、可動シート２６の可動接点２６ａに対応する箇所が上方から押されて可動シート２６が下側に撓んだ際に、可動接点２６ａがスペーサ２５の開口部２５ａを通して配線シート２４の一対の固定接点２４ａに接触して一対の固定接点２４ａを導通させるように構成されている。この場合、一対の固定接点２４ａとこれらに接離可能に接触する可動接点２６ａとによって、接点部が構成されている。
【００２５】
一方、スイッチ基板１３の上面、つまり可動シート２６の上面には、図７に示すように、複数のキー釦８をそれぞれ弾力的に押し上げる複数の弾性部材２７が配置されている。この弾性部材２７は、ゴムなどの弾性を有するシートをドーム状に形成したものであり、その上部がキー釦８の下端部に当接した状態で、下部がキー釦８の下側に突出した状態で可動シート２６の上面に配置されている。
【００２６】
この場合、弾性部材２７は、図７に示すように、その内部に可動シート２６の可動接点２６ａを上方から押圧する押圧部２７ａが設けられていると共に、下部外周に可動シート２６の可動接点２６ａの外周に位置する箇所に配置される鍔部２７ｂが設けられた構成になっている。また、この弾性部材２７は、この実施形態ではキー釦８ごとにそれぞれ独立して設けられているが、１枚のゴムシートに複数のドーム部を複数のキー釦８にそれぞれ対応させて形成した構成であっても良い。
【００２７】
これにより、弾性部材２７は、図７に示すように、キー釦８を弾力的に押し上げ、この状態でキー釦８が押された際に、その押されたキー釦８によって押し下げられて弾性変形し、内部に設けられた押圧部２７ａが可動シート２６を押し下げて撓み変形させることにより、可動シート２６の可動接点２６ａを配線シート２４の一対の固定接点２４ａに接触させるように構成されている。
【００２８】
ところで、入力表示部５は、図６に示すように、表示部２８、入力部２９、回路基板３０、および表示保持部材３１を備え、機器ケース１の傾斜部２における後側内部に配置されている。この場合、表示保持部材３１は、第１表示搭載部３２と第２表示搭載部３３を有し、これらが互いに交差する角度をもって一体に形成されている。
【００２９】
すなわち、第１表示搭載部３２は、図６に示すように、機器ケース１の傾斜部２とほぼ平行に形成されており、第２表示搭載部３３は、傾斜部２の後端部に位置する機器ケース１の背面部２ｂとほぼ平行に形成されている。この場合、機器ケース１の背面部２ｂは、傾斜部２に対してほぼ直角に形成され、これにより機器ケース１の水平面である下面に対して急峻な角度で形成されている。
【００３０】
表示部２８は、図６に示すように、第１表示パネル３４と第２表示パネル３５とを有している。これら第１表示パネル３４と第２表示パネル３５とは、それぞれ液晶表示パネルやＥＬ（エレクトロルミネッセンス）表示パネルなどの平面型の表示パネルであり、電子レジスタにおける売上データなどの各種の情報を電気光学的に表示するように構成されている。
【００３１】
この場合、第１表示パネル３４は、図６に示すように、表示保持部材３１の第１表示搭載部３２に取り付けられ、機器ケース１の傾斜部２上に設けられた化粧用補強板１１の表示窓部２１ａに対応し、この状態で表示された情報が機器ケース１の前側上方から見えるように構成されている。第２表示パネル３５は、表示保持部材３１の第２表示搭載部３３に取り付けられ、機器ケース１の背面部２ｂに設けられた表示開口部３６に対応し、この状態で表示された情報が機器ケース１の後方から見えるように構成されている。
【００３２】
また、表示保持部材３１には、図６に示すように、回路基板３０を搭載する基板取付部３７が、第１表示搭載部３２に対応して第１表示パネル３４の裏面側に位置されるように設けられている。これにより、回路基板３０は、第１表示パネル３４の裏面側に配置されて第１表示搭載部３２と重なるように構成されている。この回路基板３０には、第１表示パネル３４および第２表示パネル３５が電気的に接続されているほか、入力部２９の複数のスイッチ３８が電気的に接続された状態で設けられている。
【００３３】
入力部２９は、図４および図６に示すように、回路基板３０に設けられた複数のスイッチ３８と、表示保持部材３１に設けられた複数の釦部３９と、を備えている。複数の釦部３９は、ファンクションキーであり、図４に示すように、一対の屈曲連結部４０によって表示保持部材３１に弾性変形可能な状態で連結された構成になっている。
【００３４】
この場合、釦部３９は、図１、図２、および図６に示すように、その上部が機器ケース１の傾斜部２に設けられた釦挿入部１６および化粧用補強板１１に設けられた釦挿入孔１９に下側から挿入して、化粧用補強板１１の上面に突出するように構成されている。また、この釦部３９は、その下部が回路基板３０の複数のスイッチ３８に対応した状態で、複数のスイッチ３８の上側に位置するように構成されている。
【００３５】
一対の屈曲連結部４０それぞれは、図４に示すように、釦部３９の釦操作方向と異なる方向に屈曲した状態で、釦部３９と表示保持部材３１とに一体に形成され、釦部３９を表示保持部材３１に対して弾性変形可能に連結するように構成されている。すなわち、一対の屈曲連結部４０それぞれは、釦部３９が釦操作された際に、その釦操作方向に沿って釦部３９を変位させるように弾性変形するように構成されている。
【００３６】
この場合、一対の屈曲連結部４０は、図４に示すように、釦部３９の釦操作方向と異なる方向の屈曲長さが、釦部３９と表示保持部材３１との間の間隔よりも長く形成されている。また、一対の屈曲連結部４０は、表示保持部材３１に対応する釦部３９の一側部における両側にそれぞれ片持ち状態でＵ字形状に屈曲して形成されている。
【００３７】
これにより、入力部２９は、図４および図６に示すように、釦部３９が上方から押されると、一対の屈曲連結部４０が弾性変形して、釦部３９をその釦操作方向に沿って押し下げることにより、釦部３９の下部が回路基板３０上のスイッチ３８を押圧してスイッチ動作させるように構成されている。
【００３８】
一方、施錠部６は、図１〜図３および図５に示すように、錠本体４１ａと施錠基板４１ｂとを備えている。錠本体４１ａは、電子レジスタのオペレータが所有する鍵（図示せず）が差し込まれて回転された際に、電子レジスタのロックを解除して施錠基板４１ｂのスイッチ（図示せず）をオン状態にして、電子レジスタを使用可能な状態にするように構成されている。
【００３９】
ところで、プリンタ部７は、図１および図５に示すように、プリンタカバー４２を備えている。このプリンタカバー４２は、前後方向における中央部が少し高い緩やかな山形形状に形成され、機器ケース１の傾斜部２における左側に着脱可能に取り付けられるように構成されている。このプリンタカバー４２には、図１に示すように、印刷された記録紙（図示せず）をレシートとして発行するレシート発行口４２ａが、プリンタカバー４２の手前側に位置して設けられている。
【００４０】
また、このプリンタ部７には、図２および図５に示すように、記録紙を収納する記録紙収納部４３がほぼ円弧状に湾曲して設けられている。この記録紙収納部４３内における手前側は、図２〜図４に示すように、印字部４５がプリンタカバー４２のレシート発行口４２ａに対応して設けられている。また、この記録紙収納部４３内における後部側には、図５に示すように、ジャーナル紙（図示せず）を巻き取るジャーナルリール４６が回転可能に設けられている。
【００４１】
この場合、記録紙収納部４３には、図３〜図５に示すように、入力装置４および入力表示部５との境界に位置する仕切壁４４が設けられている。この記録紙収納部４３に隣接する入力装置４と入力表示部５との間に位置する箇所の機器ケース１内には、モータ取付部４７が設けられている。このモータ取付部４７には、ジャーナルリール４６を回転させるためのモータ４８が取り付けられている。
【００４２】
このモータ４８は、図８〜図１０に示すように、モータ本体部４８ａに出力軸４８ｂが設けられ、この出力軸４８ｂにゴムローラ４８ｃが取り付けられ、モータ本体部４８ａによって出力軸４８ｂが回転してゴムローラ４８ｃを回転させ、このゴムローラ４８ｃの回転によってジャーナルリール４６を回転させるように構成されている。この場合、ゴムローラ４８ｃは、仕切壁４４に設けられたほぼＶ字形状の開口部４４ａを通して記録紙収納部４３内に突出して配置されている。
【００４３】
モータ取付部４７は、図８〜図１０に示すように、機器ケース１の傾斜部２の上部内面に一体に形成された台座部４９と、この台座部４９に一体に形成されてモータ本体部４８ａがその軸方向に沿って挿入して取り付けられるほぼ半円形状のモータ保持部５０と、を備えている。台座部４９は、モータ本体部４８ａの軸方向の長さよりも短く、かつモータ本体部４８ａの径方向の長さとほぼ同じ大きさで形成されている。
【００４４】
この場合、台座部４９は、図２に示すように、これを機器ケース１の傾斜部２に一体に形成するために、機器ケース１の傾斜部２の上部に成型用の型抜き孔４９ａが形成された構成になっている。この成型用の型抜き孔４９ａは、入力装置４と入力表示部５との間に位置する傾斜部２に記録紙収納部４３と隣接して設けられている。この場合、型抜き孔４９ａは、図１に示すように、化粧用補強板１１の化粧膜２１によって隠されて機器ケース１の外部から見えないように構成されている。
【００４５】
モータ保持部５０は、図８〜図１０に示すように、台座部４９の下端部（図１０では上端部）にモータ本体部４８ａの外径と同じ大きさのほぼ半円形のアーチ形状に形成されている。これに伴って、台座部４９の下端部（図１０では上端部）には、モータ保持部５０に対応して連続するほぼ半円形状の凹部が形成されている。これにより、モータ保持部５０は、モータ本体部４８ａがその軸方向に沿って挿入して配置されるように構成されている。
【００４６】
また、このモータ取付部４７は、図８〜図１０に示すように、モータ本体部４８ａの軸方向の位置を規制する位置規制部５１を備えている。この位置規制部５１は、記録紙収納部４３側に位置するモータ本体部４８ａの一端部（図１０では右端部）を位置規制する第１規制部５２と、その反対側に位置するモータ本体部４８ａの他端部（図１０では左端部）を位置規制する第２規制部５３と、を備えている。
【００４７】
第１規制部５２は、図１０に示すように、記録紙収納部４３側に位置する台座部４９の端部（図１０では右端部）からモータ保持部５０の円形領域内に対応する位置に向けて延出され、モータ保持部５０と記録紙収納部４３側の仕切壁４４との間に位置して設けられている。これにより、第１規制部５２は、モータ本体部４８ａがモータ保持部５０に記録紙収納部４３側と反対側から挿入された際に、記録紙収納部４３側に位置するモータ本体部４８ａの一端部（図１０では右端部）が当接するように構成されている。
【００４８】
第２規制部５３は、図８〜図１０に示すように、モータ保持部５０の上部から記録紙収納部４３側と反対側（図１０では左端部）に向けて延出されて形成されたフック部である。この第２規制部５３は、モータ保持部５０の外径方向に弾性変形可能に形成され、その先端部に記録紙収納部４３側と反対側に位置するモータ本体部４８ａの他端部（図９では左端部）を係脱可能に係止する係止部５３ａが形成された構成になっている。
【００４９】
これにより、第２規制部５３は、図８〜図１０に示すように、モータ本体部４８ａがモータ保持部５０に記録紙収納部４３側と反対側から挿入する際に、モータ保持部５０の外径方向に弾性変形し、この状態でモータ本体部４８ａがモータ保持部５０内に配置された際に、元の形状に弾性復帰して、先端部の係止部５３ａが記録紙収納部４３側と反対側に位置するモータ本体部４８ａの他端部の縁部を係止するように構成されている。
【００５０】
さらに、このモータ取付部４７は、図８〜図１０に示すように、モータ本体部４８ａの回転方向における回転位置を規制する回転規制部５４を備えている。この回転規制部５４は、記録紙収納部４３側に位置するモータ本体部４８ａの一端部（図１０では右端部）に設けられた係止孔５４ａと、第１規制部５２に一体に形成されてモータ本体部４８ａの係止孔５４ａに挿入する係合突起５４ｂと、を備えている。
【００５１】
これにより、回転規制部５４は、図９および図１０に示すように、モータ本体部４８ａがモータ保持部５０内に挿入された際に、モータ本体部４８ａの係止孔５４ａに第１規制部５２の係合突起５４ｂが挿入することにより、モータ本体部４８ａがモータ保持部５０内に配置された状態で、モータ本体部４８ａが回転しないように構成されている。
【００５２】
次に、このような電子レジスタの作用について説明する。
この電子レジスタを組み立てる場合には、まず、機器ケース１の傾斜部２における上面全域に亘って化粧用補強板１１を取り付ける。この場合には、予め、化粧用補強板１１に複数の化粧開口部１８、釦挿入孔１９、および施錠孔２０を設けると共に、化粧用補強板１１の下面に表示窓部２１ａを除いて化粧膜２１を設ける。
【００５３】
この化粧用補強板１１を機器ケース１の傾斜部２の上面に取り付ける際には、化粧用補強板１１の複数の化粧開口部１８を機器ケース１の傾斜部２のケース開口部１４に対応させ、化粧用補強板１１の釦挿入孔１９を機器ケース１の傾斜部２の釦挿入部１６に対応させ、化粧用補強板１１の施錠孔２０を機器ケース１の傾斜部２の施錠孔１７に対応させ、化粧用補強板１１の表示窓部２１ａを機器ケース１の傾斜部２の表示開口部１５に対応させる。
【００５４】
この状態で、化粧用補強板１１を機器ケース１の傾斜部２の上面に接着によって取り付ける。すると、機器ケース１の傾斜部２の上面に設けられた補強リブ２ａ、および機器ケース１の傾斜部２の上面に位置するモータ取付部４７の台座部４９における成型用の型抜き孔４９ａが、化粧用補強板１１の化粧膜２１によって覆われて隠される。
【００５５】
また、化粧用補強板１１が機器ケース１の傾斜部２に取り付けられた状態では、化粧用補強板１１が配置される箇所における機器ケース１の傾斜部２の肉厚が薄く形成されていても、化粧用補強板１１によって機器ケース１の傾斜部２の強度が確保される。このため、この後、機器ケース１の傾斜部２内に入力装置４、入力表示部５、および施錠部６を組み付ける際に、機器ケース１の破損を防ぐことができる。
【００５６】
この状態で、機器ケース１の傾斜部２に入力装置４を組み付ける。このときには、まずキー保持部材１２に設けられた複数のキー保持筒部２２にそれぞれ複数のキー釦８の各キー軸部８ｂを上方から挿入する。この状態では、複数のキー釦８が複数のキーブロック９ごとに配列された状態で、複数のキー釦８が複数のキー保持筒部２２にキー操作方向（図６では上下方向に）にスライド可能に保持される。
【００５７】
そして、キー保持部材１２を機器ケース１の傾斜部２における上部内面に設けられたボス部（図示せず）にビス止めする。このときには、複数のキー釦８の各キートップ８ａを機器ケース１の傾斜部２に設けられたケース開口部１４に下側から挿入させると共に、化粧用補強板１１に設けられた複数の化粧開口部１８に挿入させる。
【００５８】
この状態で、複数のキー釦８の各下端部にそれぞれ弾性部材２７を配置して、キー保持部材１２の下面にスイッチ基板１３を取り付ける。このときには、スイッチ基板１３の可動シート２６に設けられた複数の可動接点２６ａを複数のキー釦８の各下端部に対応させると共に、各弾性部材２７の押圧部２７ａに対応させ、この状態でスイッチ基板１３をキー保持部材１２の下面に取り付ける。
【００５９】
この状態で、キー保持部材１２を機器ケース１の傾斜部２に取り付けると、キー保持部材１２に設けられた複数の支持リブ１２ｂを複数の化粧開口部１８の境界部に位置する化粧用補強板１１の複数の仕切部１１ａの下面に当接させて、複数の仕切部１１ａを複数の支持リブ１２ｂで支持する。
【００６０】
この場合には、複数のキー保持筒部２２が連結リブ１２ａによって相互に連結された状態で、キー保持部材１２が形成された構成であるから、キー保持部材１２全体の剛性および強度が高い。このため、このキー保持部材１２を機器ケース１の傾斜部２における上部内面に取り付けた際には、このキー保持部材１２によっても機器ケース１の傾斜部２が補強される。これにより、入力装置４が機器ケース１の傾斜部２に取り付けられる。
【００６１】
また、入力表示部５を機器ケース１の傾斜部２に取り付ける場合には、まず、表示保持部材３１に回路基板３０および表示部２８を取り付ける。この場合には、予め、回路基板３０に入力部２９の複数のスイッチ３８を取り付ける。この回路基板３０を表示保持部材３１の基板取付部３７に取り付けて、表示保持部材３１に一対の屈曲連結部４０を介してそれぞれ一体に形成された複数の釦部３９に、回路基板３０の複数のスイッチ３８をそれぞれ対応させる。
【００６２】
この状態で、表示部２８の第１表示パネル３４を回路基板３０の上側に重なるように対応させた状態で表示保持部材３１の第１表示搭載部３２に取り付ける。また、表示部２８の第２表示パネル３５を表示保持部材３１の第２表示搭載部３３に取り付ける。そして、第１表示パネル３４と第２表示パネル３５とを回路基板３０に電気的に接続する。
【００６３】
この後、表示保持部材３１を機器ケース１の傾斜部２内に取り付ける。このときには、第１表示パネル３４を機器ケース１の傾斜部２に設けられた表示開口部１５に対応させて化粧用補強板１１の表示窓部２１ａに対応させる。また、第２表示パネル３５を機器ケース１の背面部２ｂに設けられた表示開口部３６に対応させる。
【００６４】
これにより、化粧用補強板１１の表示窓部２１ａを通して第１表示パネル３４に表示された情報が機器ケース１の前側上方から見ると共に、機器ケース１の背面部２ｂの表示開口部３６を通して第２表示パネル３５に表示された情報が機器ケース１の背面側から見る。
【００６５】
また、施錠部６を機器ケース１の傾斜部２に取り付ける場合には、錠本体４１ａと施錠基板４１ｂとを機器ケース１の傾斜部２に設けられた施錠孔１７に対応させて化粧用補強板１１の施錠孔２０に対応させ、この状態で錠本体４１ａと施錠基板４１ｂとを機器ケース１の傾斜部２の上部内面に取り付ける。
【００６６】
これにより、錠本体４１ａの鍵穴（図示せず）に電子レジスタのオペレータが所有する鍵（図示せず）を差し込んで回すことができる。このため、施錠部６による電子レジスタのロックを解除して施錠基板４１のスイッチ（図示せず）をオン状態にさせて、電子レジスタを使用可能な状態にすることができる。
【００６７】
さらに、プリンタ部７の印字部４５、ジャーナルリール４６、およびモータ４８を機器ケース１に取り付ける。この場合には、まず、モータ４８を機器ケース１に設けられたモータ取付部４７に取り付ける。このときには、モータ取付部４７の台座部４９に一体に形成されたモータ保持部５０にモータ４８のモータ本体部４８ａをその軸方向に沿って挿入させれば良い。
【００６８】
この場合、モータ取付部４７は、入力装置４と入力表示部５との間に位置する傾斜部２の上部内面に記録紙収納部４３と隣接して設けられているので、モータ本体部４８ａをモータ取付部４７のモータ保持部５０に挿入する際には、モータ本体部４８ａをモータ保持部５０に記録紙収納部４３側と反対側から挿入すればよい。
【００６９】
このときには、位置規制部５１の第２規制部５３をモータ保持部５０の外径方向に弾性変形させ、この状態でモータ本体部４８ａをモータ保持部５０内に挿入させる。すると、記録紙収納部４３側に位置するモータ本体部４８ａの一端部が位置規制部５１の第１規制部５２に当接して位置規制されると共に、記録紙収納部４３側と反対側に位置するモータ本体部４８ａの他端部の縁部が第２規制部５３の係止部５３ａに係止される。これにより、モータ本体部４８ａの軸方向の位置が規制される。
【００７０】
この場合には、モータ本体部４８ａをモータ保持部５０に挿入させる際に、第２規制部５３をモータ本体部４８ａの軸方向に対して直交する方向に弾性変形させることにより、係止部５３ａがモータ本体部４８ａの挿入軌道上から外れる。このため、係止部５３ａが邪魔にならず、モータ本体部４８ａがモータ保持部５０に挿入される。また、モータ本体部４８ａがモータ保持部５０に挿入された際には、第２規制部５３が元の状態に弾性復帰する。
【００７１】
このため、第２規制部５３の係止部５３ａがモータ保持部５０に対する挿入方向と反対側に位置するモータ本体部４８ａの他端部を係止して、モータ本体部４８ａの一端部を位置規制すると共に、第２規制部５３が弾性復帰することにより、モータ本体部４８ａがモータ本体部４８ａに弾力的に押え付けられる。これにより、モータ本体部４８ａがモータ保持部５０内でガタツクことがなく、モータ本体部４８ａがモータ取付部４７に取り付けられる。
【００７２】
また、このときには、記録紙収納部４３側に位置するモータ本体部４８ａの一端部に設けられた回転規制部５４の係止孔５４ａに、第１規制部５２に一体に形成された回転規制部５４の係合突起５４ｂが挿入する。これにより、モータ本体部４８ａがモータ保持部５０内に配置された状態で、モータ本体部４８ａがモータ保持部５０内で回転しないように位置規制される。
【００７３】
この場合には、モータ取付部４７が、モータ本体部４８ａの軸方向の長さよりも短く、かつモータ本体部４８ａの径方向の長さとほぼ同じ大きさで形成されていることにより、モータ取付部４７を最小限の設置スペースで設置することができるほか、ねじ部材などの別部品としての取付金具を用いずに、簡単にかつ容易にモータ４８が取り付けられる。この場合、モータ４８をモータ取付部４７に取り付ける際に、入力表示部５が邪魔になる場合には、入力表示部５を取り付ける前に、モータ４８をモータ取付部４７に取り付ければ良い。
【００７４】
この後、プリンタ部７の印字部４５およびジャーナルリール４６を機器ケース１に取り付ける。このときには、機器ケース１の記録紙収納部４３内における手前側に印字部４５を取り付け、記録紙収納部４３内における後部側にジャーナルリール４６を配置し、このジャーナルリール４６の外周面にモータ４８のゴムローラ４８ｃを当接させる。この状態で、記録紙収納部４３上にプリンタカバー４２を配置して記録紙収納部４３を塞ぐ。このときには、プリンタカバー４２のレシート発行口４２ａが印字部４５に対応する。
【００７５】
次に、このような電子レジスタを使用する場合について説明する。
このときには、まず、オペレータが所有する鍵を機器ケース１の施錠部６に差し込んで回転させる。これにより、電子レジスタのロックが解除されて電子レジスタが使用可能な状態になる。この状態で、オペレータが入力装置４のキー釦８をキー操作することにより、売上データなどの清算処理を行うことができる。
【００７６】
このときには、オペレータによる入力装置４のキー釦８のキー操作に応じて、表示部２８の第１表示パネル３４に入力操作に応じた情報が順次表示されると共に、第２表示パネル３５にも同じ情報が順次表示される。これにより、第１表示パネル３４に表示された情報をオペレータが化粧用補強板１１の表示窓部２１ａを通して見ることができる。また、第２表示パネル３５に表示された情報をお客が機器ケース１の傾斜部２の背面部２ｂに設けられた表示開口部３６を通して見ることができる。
【００７７】
そして、売上データなどの情報が入力された後は、オペレータが入力装置４の印刷キーに対応するキー釦８を操作すると、プリンタ部７で印刷が開始される。このときには、表示部２８に表示された内容の情報が印字部４５によって記録紙に順次印刷され、この印刷された記録紙がプリンタカバー４２のレシート発行口４２ａから順次送り出される。これにより、送り出された記録紙をレシートとして発行することができる。
【００７８】
また、記録紙に印刷された情報は、ジャーナル紙にも同様に印刷される。この印刷されたジャーナル紙はジャーナルリール４６に順次巻き取られる。このときには、モータ４８が動作して、モータ本体部４８ａの出力軸４８ｂが回転し、この出力軸４８ｂの回転に伴ってゴムローラ４８ｃが回転し、このゴムローラ４８ｃの回転に伴ってジャーナルリール４６が回転してジャーナル紙を順次巻き取る。
【００７９】
このように、この電子レジスタによれば、複数のキー釦８が複数のキーブロック９ごとに配列されたキー入力釦部１０と、このキー入力釦部１０に対応して設けられたケース開口部１４を有する機器ケース１と、この機器ケース１に設けられ、キー入力釦部１０の複数のキーブロック９それぞれに対応して設けられた複数の化粧開口部１８を有する化粧用補強板１１と、機器ケース１内に設けられ、キー入力釦部１０の複数のキー釦８それぞれをキー操作可能に保持するキー保持部材１２と、を備えていることにより、機器ケース１の構造の簡素化を図ることができると共に、機器ケース１の肉厚を薄くすることができ、これらによって低コスト化を図ることができる。
【００８０】
すなわち、この電子レジスタでは、機器ケース１にケース開口部１４を複数のキー釦８が配列されたキー入力釦部１０の全域に対応させて形成した構成であるから、機器ケース１の構造を簡素化することができ、これにより機器ケース１の製作が容易にできる。また、機器ケース１に化粧用補強板１１が設けられていることにより、この化粧用補強板１１によって機器ケース１を補強することができ、これにより機器ケース１の肉厚を薄くすることができるので、機器ケース１の軽量化を図ることができると共に、材料費を削減することができ、これらによって低コスト化を図ることができる。
【００８１】
この場合、化粧用補強板１１は、透明または半透明の光透過性を有する硬質の合成樹脂で形成され、その下面に装飾性を有する化粧膜２１が設けられていることにより、機器ケース１の傾斜部２を化粧膜２１によって覆い隠することができると共に、機器ケース１の外観性およびデザイン性を確保することができる。
【００８２】
例えば、この化粧用補強板１１では、機器ケース１にモータ取付部３７の型抜き孔４９ａが設けられていても、この型抜き孔４９ａを化粧用補強板１１の化粧膜２１によって覆い隠すことができるので、型抜き孔４９ａによって機器ケース１の外観やデザイン性が損なわれることがなく、機器ケース１の外観性およびデザイン性を確保することができる。
【００８３】
また、化粧用補強板１１では、機器ケース１に設けられた表示開口部１５に対応する化粧用補強板１１の箇所に、化粧膜２１を設けずに、表示窓部２１ａを設けることができ、この表示窓部２１ａによって機器ケース１の表示開口部１５に対応する表示部２８の第１表示パネル３４を良好に保護することができる。
【００８４】
また、この電子レジスタでは、機器ケース１の傾斜部２の上面に複数の補強リブ２ａが設けられていることにより、これら複数の補強リブ２ａによって機器ケース１の傾斜部２を補強することができ、このため機器ケース１の傾斜部２の肉厚を更に薄くすることができ、これにより、より一層、機器ケース１の材料を削減することができる。
【００８５】
この場合、複数の補強リブ２ａは、機器ケース１の傾斜部２の上面に約４５度の角度で斜めに形成されていることにより、効率良く機器ケース１の傾斜部２を補強することができる。また、機器ケース１の傾斜部２の上面に複数の補強リブ２ａを設けても、化粧用補強板１１によって複数の補強リブ２ａを覆い隠すことができるので、複数の補強リブ２ａによって機器ケース１の外観やデザイン性が損なわれることがない。
【００８６】
また、この電子レジスタでは、機器ケース１内に設けられたキー保持部材１２が、キー入力釦部１０の複数のキー釦８それぞれをキー操作可能に保持する複数のキー保持筒部２２と、これら複数のキー保持筒部２２を相互に連結する連結リブ１２ａと、を有し、これらが合成樹脂で一体に形成された構成であることにより、キー保持筒部２２によってキー釦８を良好にスライドさせることができるほか、キー保持部材１２全体の剛性および強度を確保することができるので、このキー保持部材１２によっても機器ケース１の傾斜部２を補強することができる。
【００８７】
また、この電子レジスタでは、化粧用補強板１１の複数の化粧開口部１８の各境界に仕切部１１ａがそれぞれ設けられており、キー保持部材１２に化粧用補強板１１の各仕切部１１ａを支持する複数の支持リブ１２ｂが設けられていることにより、化粧用補強板１１に複数のキーブロック９を仕切る仕切部１１ａを設けても、この仕切部１１ａをキー保持部材１２の複数の支持リブ１２ｂによって確実に支持することができ、これにより仕切部１１ａが細長く形成されていても、仕切部１１ａの破損を防ぐことができる。
【００８８】
さらに、この電子レジスタでは、複数のキー釦８それぞれのキー操作に応じてスイッチ動作する複数の接点部を有するスイッチ基板１３を備えていることにより、このスイッチ基板１３の接点部によってキー操作に応じた電気信号を確実にかつ良好に得ることができる。この場合、スイッチ基板１３は、ベース板２３上に配線シート２４を設け、この配線シート２４上にスペーサ２５を配置し、このスペーサ２５上に可動シート２６を設けた構成であるから、構造が簡単で、容易にキー保持部材１２の下部に取り付けることができる。
【００８９】
すなわち、このスイッチ基板１３では、配線シート２４の上面に一対の固定接点２４ａがキー入力釦部１０の複数のキー釦８に対応して設けられ、スペーサ２５に開口部２５ａが固定接点２４ａに対応して設けられ、可動シート２６の下面に可動接点２６ａが固定接点２４ａに接離可能に対応して設けられているので、可動シート２６の可動接点２６ａに対応する箇所が上方から押された際に、スペーサ２５の開口部２５ａを通して可動接点２６ａを固定接点２４ａに接触させて固定接点２４ａを導通させることができ、これによりキー操作に応じた電気信号を確実にかつ良好に得ることができる。
【００９０】
なお、上述した実施形態では、化粧用補強板１１の下面に化粧膜２１を設けた場合について述べたが、これに限らず、化粧用補強板１１の上面に化粧膜２１を設けても良く、また化粧用補強板１１の上下両面に化粧膜２１を設けても良い。
【００９１】
また、上述した実施形態では、機器ケース１の傾斜部２の上面に補強リブ２ａを設けた場合について述べたが、これに限らず、機器ケース１の傾斜部２の下面に補強リブ２ａを設けても良く、また機器ケース１の傾斜部２の上下両面に補強リブ２ａを設けても良い。
【００９２】
また、上述した実施形態では、複数のキー釦８を弾力的に押し上げる弾性部材２７を別部品としてスイッチ基板１３の上側に配置した場合について述べたが、これに限らず、例えばスイッチ基板１３の可動シート２６にドーム状の弾性部を複数のキー釦８に対応させて一体に形成した構成であっても良い。また、弾性部材２７は、これらに限らず、コイルばねなどのばね部材であっても良い。
【００９３】
さらに、上述した実施形態では、モータ取付部４７における回転規制部５４の係止孔５４ａを、モータ保持部５０に対する挿入方向に位置するモータ本体部４８ａの一端部に設け、係合突起５４ｂをモータ本体部４８ａの挿入方向に位置する第１規制部５２に設けた場合について述べたが、これに限らず、係止孔を、モータ保持部５０に対する挿入方向と反対側に位置するモータ本体部４８ａの他端部に設け、係合突起をモータ本体部４８ａの挿入方向と反対側に位置する第２規制部５３の係止部５３ａに設けた構成であっても良い。
【００９４】
なおまた、上述した実施形態では、電子機器として電子レジスタに適用した場合について述べたが、必ずしも電子レジスタである必要はなく、例えばパーソナルコンピュータや情報処理装置などの入力装置を備えた電子機器に広く適用することができる。
【００９５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９６】
（付記）
請求項１に記載の発明は、複数のキー釦が複数のキーブロックごとに配列されたキー入力釦部と、前記キー入力釦部に対応して設けられ、前記キー入力釦部が挿入するケース開口部を有するケースと、前記ケースに設けられ、前記ケース開口部に挿入する前記キー入力釦部の前記複数のキーブロックそれぞれに対応して設けられた複数の化粧開口部を有する化粧用補強板と、前記ケース内に設けられ、前記キー入力釦部の前記複数のキー釦それぞれをキー操作可能に保持するキー保持部材と、を備えていることを特徴とする入力装置である。
【００９７】
請求項２に記載の発明は、請求項１に記載の入力装置において、前記化粧用補強板は、光透過性を有する硬質の合成樹脂で形成され、その表裏面の少なくとも一方に化粧膜が設けられていることを特徴とする入力装置である。
【００９８】
請求項３に記載の発明は、請求項１または請求項２に記載の入力装置において、前記ケースの表裏面の少なくとも一方には、複数の補強リブが設けられていることを特徴とする入力装置である。
【００９９】
請求項４に記載の発明は、請求項１〜請求項３のいずれかに記載の入力装置において、前記キー保持部材は、前記複数のキー釦それぞれをキー操作可能に保持する複数のキー保持筒部と、これら複数のキー保持筒部を相互に連結する連結部と、を備えていることを特徴とする入力装置である。
【０１００】
請求項５に記載の発明は、請求項１〜請求項４のいずれかに記載の入力装置において、前記化粧用補強板は、前記複数の化粧開口部の各境界に仕切部がそれぞれ設けられており、前記キー保持部材には、前記化粧用補強板の前記各仕切部を支持する複数の支持リブが設けられていることを特徴とする入力装置である。
【０１０１】
請求項６に記載の発明は、請求項１〜請求項５のいずれかに記載の入力装置において、前記複数のキー釦それぞれのキー操作に応じてスイッチ動作する複数の接点部を有するスイッチ基板を備えていることを特徴とする入力装置である。
【０１０２】
請求項７に記載の発明は、請求項１〜請求項６のいずれかに記載された入力装置を備えていることを特徴とする電子機器である。
【符号の説明】
【０１０３】
１  機器ケース
２  傾斜部
２ａ  補強リブ
４  入力装置
７  プリンタ部
８  キー釦
９  キーブロック
１０  キー入力釦部
１１  化粧用補強板
１１ａ  仕切部
１２  キー保持部材
１２ａ  連結リブ
１２ｂ  支持リブ
１３  スイッチ基板
１４  ケース開口部
１８  化粧開口部
２１  化粧膜
２２  キー保持筒部
２４  配線シート
２４ａ  固定接点
２５  スペーサ
２６  可動シート
２６ａ  可動接点
２７  弾性部材
４５  印字部
４６  ジャーナルリール
４７  モータ取付部
４８  モータ
４８ａ  モータ本体部
４８ｂ  出力軸
４９  台座部
４９ａ  型抜き孔
５０  モータ保持部
５１  位置規制部
５２  第１規制部
５３  第２規制部
５３ａ  係止部
５４  回転規制部
５４ａ  係止孔
５４ｂ  係合突起
【図１】
0006489301.tif 000002
【図２】
0006489301.tif 000003
【図３】
0006489301.tif 000004
【図４】
0006489301.tif 000005
【図５】
0006489301.tif 000006
【図６】
0006489301.tif 000007
【図７】
0006489301.tif 000008
【図８】
0006489301.tif 000009
【図９】
0006489301.tif 000010
【図１０】
0006489301.tif 000011